(57)【特許請求の範囲】
【請求項１】
上部が平坦な引き戸に装着する引き戸の戸首構造であって、
引き戸の平坦な上部に取り付けられるベース部を有し、当該ベース部は、解放側を上方にした断面コ字状で、引き戸の幅方向に延びる長尺部材であり、鴨居側の溝に挿入可能に形成されており、
前記ベース部は、長手方向に少なくとも2分割されていて、分割された突き合わせ端部側を、一方端部を他方端部へ挿入可能にして重ね合わせて連結するか、突き合わせ端部間に連結部材を挿入することによって、引き戸の幅方向に延びる長さが引き戸の幅と一致する長さに調整可能な構造をし、
さらに、ブレーキ装置であって、当該ブレーキ装置は、
前記ベース部の突き合わせ端部側と反対側の端部寄りに、断面コ字状のベース部の対向壁の内側に設けられた第１摺接部材と、
鴨居側の溝の内に装着するための第２摺接部材とを含み、
第２摺接部材が第１摺接部材の間に挟まれて第１摺接部材と摺接するブレーキ装置と、
を有することを特徴とする、引き戸の戸首構造。
【発明の詳細な説明】
【０００１】
【発明の属する技術分野】
この発明は、鴨居側に設けられた溝内に挿入する引き戸上部の戸首構造に関する。
【０００２】
【従来の技術及び発明が解決しようとする課題】
従来の引き戸は、図７に示すように、引き戸９１の上部に、鴨居側の溝に挿入するための戸首９２が設けられた形状のものである。
この従来の引き戸９１では、引き戸を開閉する際、引き戸の慣性で柱に強く当たってしまうことがあり、衝撃音がしたり、手や指が挟まれてしまうという問題点があった。
【０００３】
そこで、引き戸を開閉する際の慣性力を弱めるため、戸首の一部を切り欠き、この部分にブレーキ構造を装着したものも開示されている。
しかしながら、戸首の一部を切り欠いて、ブレーキ構造を装着するためには、戸首９２部分を形成した後、図７に示す斜線部分Ｍを除いた後に、ブレーキ装置を装着する必要があった。
このため、従来の引き戸では、切除して不要となる戸首を一旦形成し、その後、ブレーキ装置を装着する部分を削除するため、ブレーキ装置を装着するためには非常に手間がかかるという欠点があった。
【０００４】
そこで、この発明は、引き戸の戸首部分にブレーキ装置を簡単に装着することができると共に、異なる幅の引き戸にも対応が容易な引き戸の戸首構造を提供することを目的としている。
【０００５】
【課題を解決する手段及び発明の効果】
上記目的を達成するため、この発明の引き戸の戸首構造は、上部が平坦な引き戸に装着する引き戸の戸首構造であって、引き戸の平坦な上部に取り付けられるベース部を有し、当該ベース部は、解放側を上方にした断面コ字状で、引き戸の幅方向に延びる長尺部材であり、鴨居側の溝に挿入可能に形成されており、前記ベース部は、長手方向に少なくとも2分割されていて、分割された突き合わせ端部側を、一方端部を他方端部へ挿入可能にして重ね合わせて連結するか、突き合わせ端部間に連結部材を挿入することによって、引き戸の幅方向に延びる長さが引き戸の幅と一致する長さに調整可能な構造をし、さらに、ブレーキ装置であって、当該ブレーキ装置は、  前記ベース部の突き合わせ端部側と反対側の端部寄りに、断面コ字状のベース部の対向壁の内側に設けられた第１摺接部材と、鴨居側の溝の内に装着するための第２摺接部材とを含み、第２摺接部材が第１摺接部材の間に挟まれて第１摺接部材と摺接するブレーキ装置と、を有することを特徴としている。
この構成の引き戸の戸首構造では、引き戸の上部を平坦に加工することができ、引き戸の生産性の向上に寄与する。
【０００６】
また、長尺部材の分割部分の一方を他方へ重ね合わせ自在に構成しているので、長尺部材の長さを変更することができ、引き戸の幅が種々異なるものに装着することができるようになり、戸首部材の生産性も向上するものである。
【０００７】
一方、２分割した場合には、１本の連結部材と同形状の２本の長尺部材を用いて戸首構造を構成することができ、長尺部材が少品種で足り、生産性の向上に寄与するものである。
また、連結部材を長尺部材の内側に挿入する構成としているので、長尺部材の外形寸法が全体的に統一されることとなり、鴨居側の溝に対する寸法精度を良くすることができる。
【０００８】
また、この戸首構造では、引き戸を移動させる際、第１摺接部材と第２摺接部材とを摩擦させて抵抗力を発生させることによって、引き戸に対してブレーキ力を付与することができ、引き戸が柱等に勢いよく当たって大きな衝撃音が発生したり、手や指が挟まれたりする虞を解消することができる。
【０００９】
【発明の実施の形態】
この発明の好適な実施の形態を図面を参照して説明する。
図１はこの発明の実施形態を示す戸首構造の斜視図、図２は、上記戸首構造で長手方向に短縮させた状態を示す斜視図である。
この戸首構造１は、解放側を上方にした断面コ字状の長尺部材としてのベース部１０を設け、鴨居側Ａの溝ａ（図５参照）に挿入可能に形成している。このベース部１０は、長手方向の中間部分で２分割した形態であるが、突き合わせ端部側を連結する継ぎ手部材としての連結部材２０によって一繋がりに連続した状態に形成して戸首を構成している。
【００１０】
連結部材２０は、断面方形の角柱状部材にて形成し、断面コ字状のベース部１０内に挿入可能に構成している。連結部材２０の中央部２０ａの外形は、ベース部１０に対する挿入部分２０ｂより太く形成して、ベース部１０の外形と同形となっている。
ベース部１０は、連結部材２０の中央部分２０ａまで挿入可能となっており、連結部材２０の両側からベース部１０を任意の位置にそれぞれ挿入することができる。したがって、図２にも示すように、ベース部１０と連結部材２０との挿入位置を調節することによって、ベース部１０全体の長さを調整することができ、引き戸の幅に合わせてベース部１０の長さを決定することができるため、種々異なる幅の引き戸に対応させることができる。
【００１１】
また、この戸首構造１は、図３〜図６に示すように、連結部材２０側と反対側のベース部１０端部寄りにブレーキ装置３０を設けている。ブレーキ装置３０は、断面コ字状となったベース部１０の対向壁の内側に、摩擦抵抗の大きな部材からなる第１摺接部材３１を設け、さらに鴨居Ａ側の溝ａ内に装着するための第２摺接部材３２を設けている。この第２摺接部材３２は、鴨居Ａ側の溝ａ内において、引き戸を閉める方向にスライドさせて引き戸が閉まる直前に、上記第１摺接部材３１と摺接可能な位置に取り付けることにより、引き戸が柱等に強く当たるのを阻止することができるものである。
【００１２】
第２摺接部材３２は、引き戸の移動方向にやや長くした断面方形の部材からなっているが、上記第１摺接部材３１に摺接する両側面が、移動方向と直交する方向に可動する可動板３２ａにて構成されている。この可動板３２ａは、外面側が摩擦係数が大きくなっており、第１摺接部材３１と摺接することによって摩擦抵抗が生ずる構成となっいる。可動板３２ａの内面は、移動方向にやや傾斜面に形成されており、両側の可動板３２ａが対称的に配置されることによって、長手方向に対して両者の間隔が次第に狭くなるように形成されている。
【００１３】
そして、これらの可動板３２ａの間には、可動板３２ａの幅を調節するためのスぺーサー３４が設けられている。スぺーサー３４は、可動板３２ａの内側に当接していると共に、可動板３２ａの長手方向ｙにスライドさせることによって、双方の可動板３２ａ同士の外幅を調節することができ、第１摺接部材３１に対する当接力を変化させて、第２摺接部材３２との間に発生する摩擦力を調節することができる。
【００１４】
この戸首構造１は、鴨居側となる上部が平坦な引き戸に装着することができるので、引き戸側の構成は単純な形態のものでよく、引き戸の形成が容易である。
そして、戸首構造１は、ベース部１０を連結部材２０で接続しているので、引き戸の幅が種々異なるものに対応させることができる。ベース部１０を長手方向にスライドさせて連結部材２０との嵌合長さを調節することによって、引き戸の幅に合わせて調整することができ、ベース部１０の端部と引き戸の端部とが一致した状態で当該戸首１を固定する。
【００１５】
この実施態様で示したように、連結部材２０を引き戸の中間部分に設けることによって、同形状のベース部１０を２本準備することによって戸首構造を構成することができ、生産性の向上に寄与する。
ブレーキ装置３０を構成する第２摺接部材３２は、鴨居Ａ側の溝ａ内の柱寄りの所定位置に装着する。装着位置としては、引き戸が閉まる直前にブレーキを作動させるのが好ましいが、引き戸の形状、重量、その他の要素を考慮して、最適な位置に装着することができる。
【００１６】
ブレーキ力の調整は、可動板３２ａの外幅を調節するスぺーサー３４をスライドさせることによって行う。スぺーサー３４を可動板３２ａ同士の間隔が狭い側に移動させることにより、第２摺接部材３２の外幅を拡げることができ、第１摺接部材３１との摩擦力を強くすることができ、引き戸に対する制動力を強くすることができる。
逆に、スぺーサー３４を可動板３２ａ同士の間隔が広い側に移動させることによって、第２摺接部材３２の外幅を狭くすることができ、第１摺接部材３１との摩擦力を弱くすることができる。
【００１７】
したがって、この戸首構造１を使用することによって、引き戸を閉める際、閉まる直前に引き戸に対して制動力を働かせて引き戸が柱などに強く当たらないようにすることができる。このため、引き戸から衝撃音がでなくなり、また手や指が引き戸と柱等の間に挟まれる虞を解消することができる。
なお、上記実施形態では、ベース部１０を２分割して連結部材２０で一体化した例を示したが、ベース部１０の一方を他方のベース部１０の端部から挿入可能に構成して、全長を調節可能に構成することができる。この場合には連結部材２０が不要になるため、部品点数を減少させることができる。
【００１８】
また、ベース部１０は、３分割以上にすることもでき、この場合には、連結部材２０を分割部分毎に設けることができる。この実施形態では、引き戸の幅が長い場合に対応でき、それぞれのベース部１０を短くして生産性や取扱性をよくすることができるものである。
なお、引き戸としては、木製の他、引き戸の幅方向へ移動するものであれば、アルミ製その他の構造のものに対応できる。
【図面の簡単な説明】
【図１】この発明の実施形態を示す戸首構造の斜視図である。
【図２】上記戸首構造において、長手方向に短縮させた状態を示す斜視図である。
【図３】ブレーキ装置を構成する第１摺接部材の平面図である。
【図４】図３のｘ−ｘ断面図である。
【図５】ブレーキ装置を構成する第２摺接部材の斜視図である。
【図６】上記第２摺接部材の平面図である。
【図７】従来の引き戸の斜視図である。
【符号の説明】
１    戸首構造
１０    ベース部
２０    連結部材
３０    ブレーキ装置
３１    第１摺接部材
３２    第２摺接部材
【図１】
0004812208.tif 000002
【図２】
0004812208.tif 000003
【図３】
0004812208.tif 000004
【図４】
0004812208.tif 000005
【図５】
0004812208.tif 000006
【図６】
0004812208.tif 000007
【図７】
0004812208.tif 000008